(57)【要約】【課題】前面に本や雑誌等の書物を展示することができるスライド扉、及び、スライド扉を備え、本や雑誌等の出し入れが簡便であるキャビネットを提供する。【解決手段】スライド扉２Ａは、扉体２０と、扉体２０の前面に書物を立てかけ書物下部を支持する支持部２１と、書物の落下を防止する保持部２２と、把手部２３、２３’と、スライド部２４ａ、２４ｂとを備える。扉体２０は、略矩形の板状体であって、左右にスライドすることによりキャビネット本体１の上段開口部１５１の右半面又は左半面を覆うように形成されている。把手部２３、２３’は、扉体２０の前面左右端部に、扉体２０の前面下端部から保持部２２近傍にわたり棒状に形成されている。【選択図】図１
2014005653.tif 000002
【特許請求の範囲】
【請求項１】
左右自在にスライドするスライド扉であって、
扉体と、
前記扉体の前面下端部に凸設され、前記扉体前面に書物を立てかけ書物下部を支持する支持部と、
前記扉体の前面左端部と前面右端部との間に架け渡され、書物の落下を防止する保持部と、
前記扉体の前面左右端部の少なくとも一方に凸設される把手部と、
前記扉体の上面部及び底面部に設けられたスライド部を備えることを特徴とするスライド扉。
【請求項２】
前記把手部は、前記扉体の前面下端部から前記保持部近傍にわたり棒状に形成されたことを特徴とする、請求項１に記載のスライド扉。
【請求項３】
前記把手部は、上端が面取りされたことを特徴とする、請求項２に記載のスライド扉。
【請求項４】
前面に開口部を有するキャビネット本体と、請求項１〜３のいずれか１項に記載のスライド扉を備えたキャビネットであって、
前記キャビネット本体が、前記スライド部と係合するレール部を備えることを特徴とするキャビネット。
【発明の詳細な説明】
【技術分野】
【０００１】
本発明は、本や雑誌等の書物を展示することができるスライド扉、及びスライド扉を備えたキャビネットに関する。
【背景技術】
【０００２】
扉の前面部に、本や雑誌等の書物をその表紙が見えるように立てかけることができる棚は、種々提案されている。
【０００３】
例えば、前扉の左右両側端にローラが枢設され、前扉の下端に本や雑誌等を保持するための受溝が形成されており、収納空間上部にレールが敷設されたキャビネットが提案されている（例えば、特許文献１）。かかるキャビネットでは、ローラがレールに嵌合することにより、前扉をレールに沿って収納空間上部に収納させることができる。また、収納空間上部から前扉を引き出して収納空間の開口面を閉塞させ、キャビネットの開口面に本や雑誌等を展示させることができる。
【０００４】
また、キャビネット本体内に引出しを設け、各引出しの前板の前下端に、雑誌の下端を支持する雑誌受けを設けたキャビネットが提案されている（例えば、特許文献２）。かかるキャビネットでは、最新刊を引出しの前板に装着し、既刊誌を引出しの中に収納させることができる。
【先行技術文献】
【特許文献】
【０００５】
【特許文献１】実開昭６１−１６８２８１号公報
【特許文献２】特開平８−１５４７５５号公報
【発明の概要】
【発明が解決しようとする課題】
【０００６】
しかしながら、特許文献１で開示されているキャビネットでは、収納空間下部に収納された収納物を取り出すためには、前扉をレールに沿って収納空間上部に収納させる手間が必要となる。また、収納空間上部が、前扉を収納するために利用されているため、収納スペースが制限されている。一方、特許文献２で開示されているキャビネットでは、雑誌等が引出しの中に収納されているため、収納された雑誌を取り出すためには、引出しを引き出す手間が必要となる。また、大量の雑誌等が収納されている場合、引出しが重くなり、引出しづらくなることが考えられる。
【０００７】
本発明は、以上のような従来技術の課題を解決するために提案されたものであり、その目的は、前面に本や雑誌等の書物を展示することができるスライド扉、及び、スライド扉を備え、本や雑誌等の出し入れが簡便であるキャビネットを提供することにある。
【課題を解決するための手段】
【０００８】
上記目的を達成するため、請求項１の発明は、左右自在にスライドするスライド扉であって、扉体と、前記扉体の前面下端部に凸設され、前記扉体前面に書物を立てかけ書物下部を支持する支持部と、前記扉体の前面左端部と前面右端部との間に架け渡され、書物の落下を防止する保持部と、前記扉体の前面左右端部の少なくとも一方に凸設される把手部と、前記扉体の上面部及び底面部に設けられたスライド部を備えることを特徴とする。
【０００９】
以上の態様では、書物を扉体の前面に立てかけた状態で、扉体を左右自在にスライドさせることができる。また、支持部により書物下部が支持され、保持部により書物が前倒して落下するのを防止することができる。すなわち、書物を扉体の前面に立てかけた状態で保持し、書物の表紙部分を常に見える状態にしておくことができる。
【００１０】
請求項２の発明は、請求項１の発明において、前記把手部は、前記扉体の前面下端部から前記保持部近傍にわたり棒状に形成されたことを特徴とする。
【００１１】
以上の態様では、把手部が備えられていることにより、扉体のスライド移動をスムーズに行うことができる。また、把手部が、扉体の下端部から保持部近傍にわたり棒状に形成されたことにより、扉体の前面に立てかけられた書物が傾いて横から落下するのを防止することができる。
【００１２】
請求項３の発明は、請求項２の発明において、前記把手部の上端が面取りされたことを特徴とする。
【００１３】
以上の態様では、使用者が、扉体の前面に書物を出し入れする際に、手を傷つけず安全性が高い。また、出し入れする際に、書物の角が傷みにくい。
【００１４】
請求項４の発明は、前面に開口部を有するキャビネット本体と、請求項１〜３のいずれか１項に記載のスライド扉を備えたキャビネットであって、前記キャビネット本体が、前記スライド部と係合するレール部を備えることを特徴とする。
【００１５】
以上の態様では、キャビネットにスライド扉を取り付け、スライド扉を左右自在にスライドさせることができる。
【発明の効果】
【００１６】
以上の本発明によれば、前面に本や雑誌等の書物を展示することができるスライド扉、及び、スライド扉を備え、本や雑誌等の出し入れが簡便であるキャビネットを提供することができる。
【図面の簡単な説明】
【００１７】
【図１】本実施形態に係るスライド扉を備えたキャビネットの構成を示す全体斜視図。
【図２】他の実施形態に係るスライド扉を備えたキャビネットの構成を示す全体斜視図。
【図３】他の実施形態に係るスライド扉を備えたキャビネットの断面図。
【図４】他の実施形態に係るスライド扉を備えたキャビネットの上に本実施形態に係るスライド扉を備えたキャビネットを積み重ねた状態を示す全体斜視図。
【図５】他の実施形態に係るスライド扉を備えたキャビネットの上に本実施形態に係るスライド扉を備えたキャビネットを積み重ねた状態の断面図。
【発明を実施するための形態】
【００１８】
［１．本実施形態］
［１−１．構成］
本実施形態のキャビネットＡは、キャビネット本体１とスライド扉２Ａ、２Ｂとを備える。
【００１９】
キャビネット本体１は、図１に示すように、対向する２つの側板１１、１１’と、側板１１、１１’の外縁からやや内側の位置で側板１１、１１’に垂設される天板１２及び底板１３と、側板１１、１１’、天板１２、底板１３で囲まれる空間を覆うように形成される背板１４とから構成され、前面に開口１５を有している。キャビネット本体１内部には、天板１２及び底板１３と平行に、中板１０１が設けられ、中板１０１を境に上下に２つの略同一の空間（上段空間、下段空間）が形成されている。また、上段空間内には、側板１１、１１’と平行に仕切り板１０２が設けられ、仕切り板１０２を境に左右に２つの略同一の空間（上段左空間、上段右空間）が形成されている。さらに、上段右空間内には、中板１０１及び天板１２と平行に、棚板１０３が設けられ、棚板１０３を境に上下に２つの略同一の空間（上段右上空間、上段右下空間）が形成されている。なお、下段空間内も、上段空間内と同様に構成されている。
【００２０】
天板１２の下部と中板１０１の上部には、開口１５付近において、それぞれ天板１２と中板１０１の全幅にわたり、凹形状のガイドレール１６ａ、１６ｂが設けられている。同様に、中板１０１の下部と底板１３の上部には、開口１５付近において、それぞれ中板１０１と底板１３の全幅にわたり、凹形状のガイドレール１６ｃ、１６ｄが設けられている。
【００２１】
スライド扉２Ａは、天板１２と中板１０１との間の上段開口部１５１に備えられ、スライド扉２Ｂは、中板１０１と底板１３との間の下段開口部１５２に備えられている。スライド扉２Ａとスライド扉２Ｂは、同一形状であるため、以下、スライド扉２Ａのみについて説明する。
【００２２】
本実施形態のスライド扉２Ａは、図１に示すように、扉体２０と、扉体２０の前面に書物を立てかけ書物下部を支持する支持部２１と、書物の落下を防止する保持部２２と、把手部２３、２３’と、スライド部２４ａ、２４ｂとを備える。
【００２３】
扉体２０は、略矩形の板状体であって、左右にスライドすることによりキャビネット本体１の上段開口部１５１の右半面又は左半面を覆うように形成されている。すなわち、扉体２０の高さは、天板１２と第１仕切り板１０１との距離と略同一であり、扉体２０の幅は、側板１１，１１’と第２仕切り板１０２との距離と略同一である。
【００２４】
支持部２１は、扉体２０の前面下端部に垂設され、後述する把手部２３、２３’との間に挟まれるよう固定されている。また、支持部２１は、書物の落下を防止すべく、側面視略Ｌ字状に形成されている。
【００２５】
保持部２２は、扉体の前面中央やや下において、扉体２０の前面左端部と前面右端部との間に架け渡される細い棒状ワイヤであり、上面視略コの字状に形成されている。保持部２２は、扉体２０に差し込まれ固定されている。
【００２６】
把手部２３、２３’は、扉体２０の前面左右端部に、扉体２０の前面下端部から保持部２２近傍にわたり棒状に形成されている。また、把手部２３、２３’は、上端が面取りされており、保持部２２近傍から扉体２０の上端部に向けて下り斜面となるように形成された傾斜部を有する。傾斜部は、扉体２０の下端からの高さ１／２〜２／３程度において設けられている。すなわち、扉体２０の前面上端部には、突設されているものはない。
【００２７】
スライド部２４ａ、２４ｂは、凸形状であって、キャビネット本体１に設けられた凹形状のガイドレール１６ａ、１６ｂと係合するよう、扉体２０の上面部及び底面部に全幅にわたり設けられている。
【００２８】
［１−２．作用効果］
以上のような本実施形態の構成に基づいて、スライド扉２Ａ及びスライド扉２Ａを備えたキャビネットＡの作用効果について図１を参照して説明する。
【００２９】
（１）スライド扉及びキャビネットの使用方法
図１に示すように、キャビネット本体１のガイドレール１６ａ、１６ｂに扉体２０のスライド部２４ａ、２４ｂを係合させる。使用者は、書物を、扉体２０と保持部２２との間に上から挿入し、支持部２１の上に置くことにより、扉体２０の前面に立てかける。キャビネット本体１内に書物を収納したり、キャビネット本体１内から書物等を取り出すときには、スライド扉２を、扉体２０の２４ａ、２４ｂに沿って、左右自在にスライドさせる。
【００３０】
スライド扉２Ａを左にスライドさせ、スライド扉２Ａの左端がキャビネット本体１の側板１１に接したとき、キャビネット本体１の上段開口部１５１の左半面が覆われ、右半面が開口した状態となる。この状態で、上段右上空間、上段右下空間への収納等を行う。
【００３１】
また、スライド扉２Ａを右にスライドさせ、スライド扉２Ａの右端がキャビネット本体１の側板１１’に接したとき、キャビネット本体１の上段開口部１５１の右半面が覆われ、左半面が開口した状態となる。この状態で、上段左空間への収納等を行う。
【００３２】
扉体２０の前面に立てかけられた書物を、キャビネット本体１内に収納されている書物と取り換えるときには、まず、交換対象の書物が収納されている側が開口するようにスライド扉２Ａをスライドさせる。そして、扉体２０の前面に立てかけられている書物を上から取り出した後、キャビネット本体１内に収納すると同時に、交換対象の書物を取り出す。そして、交換対象の書物を、扉体２０と保持部２２との間に上から挿入し、扉体２０の前面に立てかける。なお、本実施形態のキャビネットは、子どもの使用する学習机のそばに置いて使用されるのが望ましい。
【００３３】
（２）効果
以上のような本実施形態のキャビネットでは、書物を扉体の前面に立てかけた状態で、スライド扉を左右自在にスライドさせることができる。そのため、扉体の前面に立てかけられた書物を、キャビネット本体内に収納されている書物と取り換えるときには、扉体の前面に立てかけられた書物をあらかじめ取り出しておく必要がなく、取り換える直前に取り出せばよい。キャビネット本体内の書物を確認しながら、扉体の前面に立てかける書物を吟味することができる。これに対して、前扉をレールに沿ってキャビネット本体に収納させる従来のキャビネットでは、キャビネット本体に収納された書物を取り出すときには、前扉がキャビネット本体内に収納されている。そのため、扉体の前面に立てかけられた書物を、キャビネット本体内に収納されている書物と取り換えるときには、扉体の前面に立てかけられた書物をあらかじめ取り出しておく必要があり、キャビネット本体内を確認しながら、扉体の前面に立てかける書物を吟味することができない。したがって、いったん前扉から取り出した書物を再度立てかけるという手間を要することがある。
【００３４】
また、本実施形態のキャビネットでは、書物を扉体の前面に立てかけた状態で、スライド扉を軽くスライドさせることができる。特に、子どもが使用する場合にも、簡単に操作できる。これに対して、引出しの中に書物を収納する従来のキャビネットでは、大量の書物が収納されている場合、引出しが重くなり、引出しづらくなることがある。
【００３５】
また、本実施形態のスライド扉では、支持部により書物下部が支持され、保持部により書物が前倒して落下するのを防止することができる。すなわち、書物を扉体の前面に立てかけた状態で保持し、書物の表紙部分を常に見える状態にしておくことができる。書物の表紙部分が常に見える状態にあることで、特に、子どもの書物への興味を促すことができる。書物が棚や引出しに収納された状態では、たいてい書物の表紙部分は見えず、見えるのは書物の背表紙のみであり、その状態で子どもの興味をひくのは難しい。それに対して、書物の表紙部分は、文字のみならず書物の内容を示す図や絵が描かれており、子どもの興味をひくのに役立つ。また、扉体の前面に立てかけられた書物は、多くの書物が収納された棚から抜き出すよりも、簡単に手にとることができる。子どもでも簡単に出し入れが可能である。
【００３６】
また、本実施形態のスライド扉では、把手部が備えられていることにより、扉体のスライド移動をスムーズに行うことができる。把手部がない場合には、使用者が、扉体に設けられた細い棒状ワイヤからなる保持部を掴んでスライド移動を行うことが考えられ、その場合、ワイヤが扉体から抜け落ちてしまうこともある。
【００３７】
また、本実施形態のスライド扉では、把手部が、扉体の下端部から保持部近傍にわたり棒状に形成されていることにより、扉体の前面に立てかけられた書物が傾いて横から落下するのを防止することができる。
【００３８】
また、本実施形態のスライド扉では、把手部の上端が面取りされており、把手部が保持部近傍から扉体の上端部に向けて下り斜面となるように形成された傾斜部を有することにより、使用者が、扉体の前面に書物を出し入れする際に、手を傷つけず安全性が高い。子どもの利用に向いている。また、出し入れする際に、書物の角が傷みにくい。
【００３９】
また、本実施形態のスライド扉では、把手部に形成された傾斜部が、扉体の下端からの高さ１／２〜２／３程度において設けられ、扉体の前面上端部には、突設されているものがないことにより、書物の出し入れがしやすい。
【００４０】
［２．他の実施形態］
本実施形態では、天板の下部と第１仕切り板の上部、第１仕切り板の下部と底板の上部にガイドレールを設け、扉体が、キャビネット本体の上段開口部と下段開口部にそれぞれ備えられている例を示した。しかし、扉体は、キャビネット本体の開口の半面を覆うことができればよく、図２に示すように、扉体は１枚でもよい。この場合、キャビネット本体の天板下部と底板上部のみにガイドレールが設けられる。
【００４１】
また、本実施形態では、１枚の扉体に、１つの支持部と１つの保持部が備えられている例を示した。しかし、扉体には、少なくとも１つの書物が立てかけられればよく、図２に示すように、２つの書物が立てかけられるようにしてもよい。この場合、スライド扉は、本実施形態で示したスライド扉が上下に連結されたように形成される。すなわち、扉体２０１の高さは、天板１２と底板１３との距離と略同一である。具体的には、スライド扉２Ｃは、扉体２０１と、２つの支持部（第１支持部２１１、第２支持部２１２）、２つの保持部（第１保持部２２１、第２保持部２２２）と、把持部２３１、２３１’と、スライド部２４１ａ、２４１ｂを備える。第１支持部２１１は、扉体２０１の前面中央部に備えられ、第２支持部２１２は、扉体２０１の前面下端部に備えられる。また、第１保持部２２１は、第１支持部２１１と扉体２０１の上端部との間に備えられ、第２保持部２２２は、第１支持部２１１と扉体２０１の下端部との間に備えられる。また、把持部２３１、２３１’は、扉体２０１の前面下端部から第１保持部２２１近傍にわたり棒状に形成され、保持部２２１近傍から扉体２０１の上端部に向けて下り斜面となるように形成された傾斜部を有する。また、スライド部２４１ａ、２４１ｂは、図３に示すように、凸形状であって、キャビネット本体１に設けられた凹形状のガイドレール１６ａ、１６ｄと係合するよう、扉体２０１の上面部及び底面部に全幅にわたり設けられている。
【００４２】
また、本実施形態では、キャビネット本体内部に３つの仕切り板を設けたが、収納する書物の大きさに応じて、適宜仕切り板を増減させ、仕切り板の位置を変更させてよい。大きいサイズの書物を収納するべく、中板を取り外した状態であれば、図２のようなキャビネット本体の高さに合わせた１枚の扉体を採用するのがよい。
【００４３】
また、２つのスライド扉を備えたキャビネットと１つのスライド扉を備えたキャビネットとは、図４に示すように上下に積み重ねて使用してもよい。大きいサイズの書物は、下側に設置されたキャビネットに収納され、小さいサイズの書物は、上側に設置されたキャビネットに収納されるよう、仕切り板を適宜設置するのが好ましい。
【００４４】
また、本実施形態では、保持部が、細い棒状ワイヤである例を示したが、書物の落下を防止することができ、上から書物を挿入できるものであれば、特に限定されない。例えば、扉体の前面下半分を覆うようなカバー体でもよい。カバー体は、外側から書物の表紙が見えるように、透明な部材で形成されているのがよい。
【００４５】
また、本実施形態では、把手部が棒状に形成されている例を示したが、使用者がスライド扉をスライドさせるための持ち手となれば、形状は特に限定されない。また、把手部は、扉体の前面に立てかけられた書物が横から落下するのを防止できるような壁としての役割を有するものが好ましく、板状に形成されていてもよい。
【符号の説明】
【００４６】
Ａ・・・キャビネット
１・・・キャビネット本体
２Ａ，２Ｂ，２Ｃ・・・スライド扉
１１，１１’・・・側板
１２・・・天板
１３・・・底板
１４・・・背板
１５・・・開口部
１６ａ，１６ｂ，１６ｃ，１６ｄ・・・ガイドレール
２０，２０１・・・扉体
２１・・・支持部
２２・・・保持部
２３，２３’，２３１，２３１’・・・把持部
２４ａ，２４ｂ、２４１ａ，２４１ｂ・・・スライド部
１０１・・・中板
１０２・・・仕切り板
１０３・・・棚板
１５１・・・上段開口部
１５２・・・下段開口部
２１１・・・第１支持部
２１２・・・第２支持部
２２１・・・第１保持部
２２２・・・第２保持部
【図１】
2014005653.tif 000003
【図２】
2014005653.tif 000004
【図３】
2014005653.tif 000005
【図４】
2014005653.tif 000006
【図５】
2014005653.tif 000007